(57)【要約】【課題】  ヨーク表面の磨耗を抑え、印字品質の低下を防止することができるワイヤドットプリンタヘッドを提供する。【解決手段】  ワイヤドットプリンタヘッドは、印字用ワイヤをそれぞれ支持する複数のアーマチュア４の支点軸１２をそれぞれ収容する複数の軸受溝３５を有するアーマチュアスペーサ７と、このアーマチュアスペーサ７と共に複数のアーマチュア４の支点軸１２を保持するヨーク６との間に、複数のアーマチュア４の支点軸１２とヨーク６との接触を防止する磨耗防止部材３６を設けることで構成されている。これにより、アーマチュア４の支点軸１２は磨耗防止部材３６によってヨーク６に直接接触しないため、ヨーク６の表面の磨耗を抑え、印字品質の低下を防止することができる。【選択図】    図３
2005075000.tif 000002
【特許請求の範囲】
【請求項１】
印字用ワイヤをそれぞれ支持し、回動中心となる支点軸をそれぞれ有する複数のアーマチュアと、
コイルがそれぞれ巻回された複数のコアを有し、前記複数のアーマチュアが複数のコアにそれぞれ対向するように前記複数のアーマチュアの支点軸を保持するヨークと、
前記ヨーク上に設けられ、前記複数のアーマチュアが揺動自在になるようにその複数の支点軸を収納する複数の切欠部を有し、前記ヨークと共に前記複数のアーマチュアの支点軸を保持するアーマチュアスペーサと、
前記アーマチュアスペーサ上に設けられ、前記複数のアーマチュアの揺動を妨げないように形成されて前記複数のアーマチュアの支点軸を押さえる押さえ部材と、
前記ヨークと前記アーマチュアスペーサとの間に設けられ、前記複数のアーマチュアの揺動を妨げないように形成されて前記複数のアーマチュアの支点軸と前記ヨークとの接触を防止する磨耗防止部材と、
を具備するワイヤドットプリンタヘッド。
【請求項２】
前記磨耗防止部材は、前記ヨークと前記複数のアーマチュアの支点軸との間にそれぞれ設けられた複数の接触防止部を有している、
請求項１記載のワイヤドットプリンタヘッド。
【請求項３】
前記磨耗防止部材は環状に形成されている、
請求項１又は２記載のワイヤドットプリンタヘッド。
【請求項４】
前記磨耗防止部材は、透磁率が良好な材料で形成されている、
請求項１、２又は３記載のワイヤドットプリンタヘッド。
【請求項５】
請求項１ないし４のいずれか一記載のワイヤドットプリンタヘッドと、
前記ワイヤドットプリンタヘッドに対向するプラテンと、
前記ワイヤドットプリンタヘッドを保持し前記プラテンに沿って往復移動するキャリッジと、
前記ワイヤドットプリンタヘッドと前記プラテンとの間に印字媒体を搬送する印字媒体搬送部と、
印字データに基づいて、前記ワイヤドットプリンタヘッド、前記キャリッジ及び前記印字媒体搬送部を駆動させる駆動制御部と、
を具備するワイヤドットプリンタ。
【発明の詳細な説明】
【技術分野】
【０００１】
本発明は、ワイヤドットプリンタヘッド及びワイヤドットプリンタに関する。
【背景技術】
【０００２】
ワイヤドットプリンタヘッドは、印字用のワイヤが連結されたアーマチュアを印字位置と待機位置との間で揺動させ、アーマチュアを印字位置へ揺動させたときにワイヤの先端部を用紙等の印字媒体に衝突させることによって、印字を行う装置である。
【０００３】
このようなワイヤドットプリンタヘッドの中には、揺動対象とするアーマチュアの周囲にコイルにより発生させた磁束によってアーマチュアを待機位置から印字位置へ吸引する磁気回路を生成することで、印字を行う装置が開示されている（特許文献１参照）。図６及び図７に示すように、そのようなワイヤドットプリンタヘッド１００では、印字用のワイヤ１０１を支持するアーマチュア１０２は支点軸１０３を有しており、その支点軸１０３を中心に回動自在に設けられている。このアーマチュア１０２の支点軸１０３が収納される切欠部１０４を備えるアーマチュアスペーサ１０５は、磁気回路を生成するためのヨーク１０６の上に設けられている。
【０００４】
また、アーマチュアスペーサ１０５の上には、弾性力によりアーマチュア１０２の支点軸１０３の位置を固定する弾性スペーサ１０７を介して、支点軸１０３の移動を規制するため支点軸１０３を押さえるプレート１０８が設けられている。これにより、アーマチュア１０２の支点軸１０３によるプレート１０８の磨耗は防止され、支点軸１０３の位置は固定されている。
【０００５】
【特許文献１】特開２００１−２１９５８６公報
【発明の開示】
【発明が解決しようとする課題】
【０００６】
しかしながら、近年の印字スピードの高速化に伴い、アーマチュア１０２は、例えば２５００回／秒も印字位置と待機位置との間を揺動するため、印字中に激しい振動が発生することになる。これにより、アーマチュア１０２の回動中心となる支点軸１０３はヨーク１０６の表面を磨耗させてしまう。
【０００７】
アーマチュア１０２の支点軸１０３によるヨーク１０６の表面の磨耗が進行すると、アーマチュア１０２の支点軸１０３が移動可能になるためその所定位置からずれ、アーマチュア１０２の揺動動作が安定しなくなってしまう。これが印字品質を低下させる要因になる。さらに、ヨーク１０６の表面の磨耗が進行すると、例えば、アーマチュア１０２はコイルのフランジに接触したり、その支点軸１０３が微動してアーマチュアスペーサ１０５の切欠部１０４を削ったりする。これにより、ワイヤドットプリンタヘッド１００の寿命が短くなってしまう。
【０００８】
本発明の目的は、ヨーク表面の磨耗を抑え、印字品質の低下を防止することができるワイヤドットプリンタヘッド及びワイヤドットプリンタを提供することである。
【課題を解決するための手段】
【０００９】
本発明では、印字用ワイヤをそれぞれ支持する複数のアーマチュアの支点軸をそれぞれ収容する複数の切欠部を有するアーマチュアスペーサと、このアーマチュアスペーサと共に複数のアーマチュアの支点軸を保持するヨークとの間に、複数のアーマチュアの支点軸とヨークとの接触を防止する磨耗防止部材を設けることで、アーマチュアの支点軸とヨーク表面とが直接接触しないようにした。また、ヨーク上面に磨耗防止部材を設置することによって、磁気回路を最短で構成するようにした。
【発明の効果】
【００１０】
本発明によれば、アーマチュアの支点軸は磨耗防止部材によってヨークに直接接触しないため、ヨークの表面の磨耗を抑え、印字品質の低下を防止することができる。また、ヨークの上面に磨耗防止部材を設置することによって、極めて短い磁気回路を形成することができる。
【発明を実施するための最良の形態】
【００１１】
本発明の実施の一形態について図１ないし図５を参照して説明する。
【００１２】
まず、ワイヤドットプリンタヘッド１の全体の構成について図１ないし図４を参照して説明する。図１は本実施の形態のワイヤドットプリンタヘッド１を概略的に示す中央縦断正面図、図２及び図３はワイヤドットプリンタヘッド１の一部を概略的に示す分解斜視図、図４はワイヤドットプリンタヘッド１の一部を概略的に示す縦断側面図である。
【００１３】
ワイヤドットプリンタヘッド１は、取付ねじ（図示せず）によって結合されるフロントケース２とリヤケース３とを備えている。これらの間には、アーマチュア４、ワイヤガイド５、ヨーク６、アーマチュアスペーサ７及び回路基板８等が設けられている。
【００１４】
アーマチュア４は、アーム９、アーム９の長さ方向の一端側にロウ付けされた印字用ワイヤ（以降、単にワイヤとする）１０、アーム９の幅方向の両側面に溶接された磁気回路形成部材１１及び支点軸１２を備えている。また、アーマチュア４の他端側には、円弧状部１３が形成されている。磁気回路形成部材１１には、被吸引面１４が設けられており、この被吸引面１４はアーマチュア４の長手方向の中央部分に位置付けられている。
【００１５】
このようなアーマチュア４はヨーク６の軸心に対して放射状に複数配置されている。そして、アーマチュア４は、その支点軸１２を中心としてヨーク６から離反する方向に回動自在な状態でそれぞれヨーク６の表面に支持されており、付勢部材１５によってヨーク６から離反する方向に付勢されている。
【００１６】
ワイヤ１０は、アーマチュア４が印字位置へ揺動した場合に、アーマチュア４の揺動動作に伴い、その先端部が所定の位置、例えば用紙等の印字媒体に衝突する位置まで移動する。
【００１７】
ワイヤガイド５は、ワイヤ１０の先端部が印字媒体の所定位置に衝突するようにワイヤ１０を摺動自在にガイドする。また、フロントケース２には、ワイヤ１０の先端部を所定のパターンに整列させるとともにワイヤ１０を摺動自在にガイドする先端ガイド１６が設けられている。
【００１８】
リヤケース３には、一端側に底面部１７を有する円筒形状部１８が設けられている。また、底面部１７の中心部分には、金属製の環状のアーマチュアストッパ１９が取付けられる取付用凹部２０が形成されており、アーマチュアストッパ１９は取付用凹部２０に嵌め込まれることにより取付けられている。
【００１９】
ここで、アーマチュア４が付勢部材１５により印字位置から揺動すると、アーマチュア４の一部であるアーム９がアーマチュアストッパ１９に当接し、アーマチュア４の揺動は停止する。したがって、アーマチュアストッパ１９は、アーマチュア４の待機位置を定める機能を有している。
【００２０】
回路基板８は、印字位置と待機位置との間におけるアーマチュア４の揺動を制御するための回路を備えており、印字動作に際しては、回路基板８の制御により任意のアーマチュア４を選択的に揺動させることができる。
【００２１】
ヨーク６は磁性材料により形成されており、同心円状に設けられた径の異なる一対の筒状部２１，２２を有している。各筒状部２１，２２の軸心方向（図１中の紙面上下方向、以降、ヨーク６の軸心方向とする）の寸法は、互いに等しく設定されている。外周側の筒状部２１と内周側の筒状部２２とは、軸心方向の一端側を閉塞するように設けられた底面部２３により一体化されている。
【００２２】
ここで、本実施の形態では、ヨーク６は、例えば、ＰＭＤを材料としてＬｏｓｔＷａｘ法で製造されている。ヨーク６の表面硬度はＨｖ３３０程度である。ヨーク６の表面は研磨加工され、その平面度及び表面粗さは所定値を確保している。
【００２３】
外周側の筒状部２１には、複数の窪み２４が形成されている。これらの窪み２４は、その内周面がアーマチュア４の円弧状部１３の外周面の曲率半径と略同一の曲率半径に形成された凹面形状を有している。窪み２４は、アーマチュア４の数と同数設けられている。各窪み２４には、アーマチュア４の一端側に形成された円弧状部１３が摺動自在に嵌め込まれる。
【００２４】
内周側の筒状部２２には、環状形状を有する被嵌合部２５が設けられている。被嵌合部２５は、内周側の筒状部２２に対して同心円状に位置するように内周側の筒状部２２に一体に設けられている。被嵌合部２５の外径は、内周側の筒状部２２の外径よりも小さく設定されている。したがって、内周側の筒状部２２には、被嵌合部２５によって段地部２６が形成されている。
【００２５】
底面部２３には、外周側の筒状部２１と内周側の筒状部２２との間に環状に配置された複数のコア２７が一体に設けられている。ヨーク６の軸心方向における各コア２７の寸法は、ヨーク６の軸心方向における筒状部２１，２２の寸法と等しく設定されている。
【００２６】
各コア２７のヨーク６の軸心方向における一端には、それぞれ磁極面２８が形成されている。コア２７の磁極面２８は、アーマチュア４に設けられた磁気回路形成部材１１の被吸引面１４に対向するように設けられている。また、各コア２７の外周には、コイル２９がそれぞれ装着されている。すなわち、ヨーク６は、コイル２９がそれぞれ巻回された複数のコア２７を環状に有している。
【００２７】
このようなヨーク６は、底面部２３と反対側の開放された側を、リヤケース３の開放された他端側に対向させた状態でフロントケース２とリヤケース３との間に挟持されている。なお、本実施の形態では、全てのコイル２９の巻回方向が等しく設定されているが、これに限るものではなく、巻回方向を異ならせたコイルを選択的に配置してもよい。
【００２８】
アーマチュアスペーサ７は、ヨーク６の筒状部２１，２２の径と略同一径を有する一対のリング形状部３０，３１と、アーマチュア４間に位置するように一対のリング形状部３０，３１間に放射状に掛け渡された複数のガイド部３２と、を有している。外周側のリング形状部３０及び内周側のリング形状部３１は、同心円状に設けられている。外周側のリング形状部３０、内周側のリング形状部３１及びガイド部３２は一体に成形されている。
【００２９】
アーマチュアスペーサ７がヨーク６上に設けられると、外周側のリング形状部３０及び内周側のリング形状部３１はヨーク６の筒状部２１，２２にそれぞれ当接し、内周側のリング形状部３１は、被嵌合部２５に嵌合する。なお、内周側のリング形状部３１の内径は、被嵌合部２５の外径と同等あるいは若干大きくなるように設定されている。
【００３０】
各ガイド部３２は、リング形状部３０，３１の略半径方向に沿って、コア２７の磁極面２８から離反する方向であって斜め方向に延出するサイドヨーク部３３を備えている。このサイドヨーク部３３は、内周側のリング形状部３１から外周側のリング形状部３０へ近づく程幅広になる羽根形状とされている。
【００３１】
アーマチュアスペーサ７には、複数のガイド部３２が一対のリング形状部３０，３１間に掛け渡されているため、リング形状部３０，３１の半径方向に沿って開口するスリット状のガイド溝３４が確保されている。各ガイド溝３４は、各ガイド部３２がアーマチュア４の揺動を妨げることのない程度に磁気回路形成部材１１に近接するような幅寸法で形成されている。
【００３２】
また、ガイド溝３４は、外周側のリング形状部３０まで連通しており、外周側のリング形状部３０におけるガイド溝３４には、リング形状部３０の外径方向に沿ってガイド溝３４の両側となる位置に、ガイド溝３４に連続して開口する切欠部である軸受溝３５が形成されている。この軸受溝３５には、アーマチュア４の支点軸１２が嵌め込まれる。すなわち、アーマチュア４の支点軸１２は、ヨーク６及びアーマチュアスペーサ７によって複数のアーマチュア４が複数のコア２７にそれぞれ対向するように保持されている。
【００３３】
ヨーク６とアーマチュアスペーサ７との間には、複数のアーマチュア４の支点軸１２とヨーク６との接触を防止する磨耗防止部材３６が設けられており、アーマチュアスペーサ７上には、複数のアーマチュア４の支点軸１２を押さえる押さえ部材３７が設けられている。
【００３４】
磨耗防止部材３６は、複数のアーマチュア４の揺動を妨げないように環状に形成されており、ヨーク６と複数のアーマチュア４との間にそれぞれ設けられた複数の接触防止部３８を有している。また、磨耗防止部材３６は、ヨーク６のコア２７とアーマチュア４との磁路を最短距離で構成するため、例えばＳＫに熱処理を施した０．２０ｍｍ厚さの板材で形成され、ヨーク６上に設けられている。なお、磨耗防止部材３６は硬度が高く耐磨耗性が優れた部材であり、透磁率が良好な材料で形成されている。
【００３５】
押さえ部材３７は、フロントケース２とリヤケース３とが取付ねじにより結合されることで、複数のアーマチュア４の支点軸１２を押さえる部材である。この押さえ部材３７は環状に形成されている。さらに、押さえ部材３７は、アーマチュア４の幅寸法と略同じ幅寸法でその半径方向に伸びる溝部３９を有し、アーマチュア４の揺動を妨げないように形成されている。
【００３６】
ここで、本実施の形態では、アーマチュア４の支点軸１２の直径は０．９０ｍｍであり、軸受溝３５を構成する部分のアーマチュアスペーサ７の厚さは０．８０ｍｍであり、アーマチュア４の支点軸１２が軸受溝３５に嵌め込まれると、支点軸１２は軸受溝３５から０．１０ｍｍだけはみ出て、押さえ部材３７に当接することよって確実に保持される。
【００３７】
次に、上述したようなワイヤドットプリンタヘッド１を備えるワイヤドットプリンタ５０について図５を参照して説明する。図５は本実施の形態のワイヤドットプリンタ５０を概略的に示す縦断側面図である。
【００３８】
ワイヤドットプリンタ５０は本体ケース５１を備えている。この本体ケース５１の前面５２には、開口部５３が形成されている。開口部５３には、手差しトレイ５４が開閉自在に設けられている。また、本体ケース５１の前面５２側の下部には、給紙口５５が形成され、背面５６側には、排紙受け５７が設けられている。さらに、本体ケース５１の上面５８には、開閉カバー５９が回動自在に設けられている。ここで、開かれた状態の開閉カバー５９を図１中に仮想線で示す。
【００３９】
本体ケース５１内には、印字媒体搬送経路である用紙搬送経路６０が設けられている。この用紙搬送経路６０の用紙搬送方向上流側は、開放状態の手差しトレイ５４の延長面上に配置された給紙通路６１と、給紙口５５に通じる給紙通路６２とに接続され、用紙搬送方向下流側は排紙受け５７に接続されている。給紙通路６２には、用紙を搬送するトラクタ６３が設けられている。
【００４０】
用紙搬送経路６０には、搬送ローラ６４と押さえローラ６５とが対向配置されており、押さえローラ６５は搬送ローラ６４へ圧接されている。これら搬送ローラ６４と押さえローラ６５とは、印字媒体である用紙を搬送し、印字媒体搬送部である用紙搬送部を構成している。さらに、用紙搬送経路６０には、搬送される用紙に対して印字動作を行うプリンタ部６６が設けられており、排紙受け５７の入口には、排紙ローラ６７が設けられている。この排紙ローラ６７へ圧接された押さえローラ６８が開閉カバー５９の自由端側に回転自在に支持されている。
【００４１】
プリンタ部６６は、用紙搬送経路６０中に配置されたプラテン６９、このプラテン６９に沿って用紙搬送経路６０と直交する方向に往復動自在なキャリッジ７０、キャリッジ７０に搭載された上述したようなワイヤドットプリンタヘッド１及びインクリボンカセット７１等から構成されている。なお、インクリボンカセット７１は着脱可能に設けられている。
【００４２】
キャリッジ７０はモータ（図示せず）によって駆動され、プラテン６９に沿って往復移動する。ワイヤドットプリンタヘッド１は、キャリッジ７０がプラテン６９に沿って往復移動することに伴って主走査方向に往復移動する。このため、本実施の形態では、キャリッジ７０やモータ等によってヘッド駆動機構が実現されている。また、ワイヤドットプリンタ５０は、本体ケース５１内の各部を制御する駆動制御部７２を内蔵しており、この駆動制御部７２がプリンタ部６６、トラクタ６３及びモータ等の各部を駆動制御する。
【００４３】
このような構成において、用紙として単票を用いる場合には、手差しトレイ５４から給紙し、用紙として連続紙を用いる場合には、給紙口５５から給紙する。いずれの用紙を用いても、用紙は、搬送ローラ６４により搬送され、排紙ローラ６７により排紙受け５７に排紙され、この過程で、ワイヤドットプリンタヘッド１により印字される。
【００４４】
印字は、ワイヤドットプリンタヘッド１において選択的にコイル２９を励磁することにより、アーマチュア４がコア２７の磁極面２８に吸引されて支点軸１２を中心に回動し、ワイヤ１０がインクリボン（図示せず）を介してプラテン６９上の用紙（図示せず）に押し付けられることによって行われる。コイル２９への通電が遮断されると、アーマチュア４が付勢部材１５の付勢力により復帰してアーマチュアストッパ１９により待機位置で停止する。
【００４５】
詳述すると、ワイヤドットプリンタ５０による印字動作に際して、駆動制御部７２の制御により、印字データに基づいて選択的にコイル２９への通電が行われると、選択されたコイル２９が取付けられているコア２７から、このコア２７に対向して配置されているアーマチュア４の磁気回路形成部材１１、この磁気回路形成部材１１に対向する一対のサイドヨーク部３３、ヨーク６の外周側の筒状部２１ならびに内周側の筒状部２２との間を介して、底面部２３から再びコア２７に至る磁気回路が形成される。
【００４６】
この磁気回路の形成により、磁気回路形成部材１１の被吸引面１４とコア２７の磁極面２８との間に磁気回路形成部材１１をコア２７の磁極面２８へ引き寄せる吸引力が発生する。この吸引力により、アーマチュア４が支点軸１２を中心として、磁気回路形成部材１１の被吸引面１４がコア２７の磁極面２８に吸引される方向に揺動する。なお、本実施の形態では、アーマチュア４の磁気回路形成部材１１の被吸引面１４がコア２７の磁極面２８に当接する位置を印字位置とする。
【００４７】
アーマチュア４が印字位置へ揺動することにより、ワイヤ１０の先端部が用紙側へ突出する。本実施の形態では、ワイヤドットプリンタヘッド１と用紙との間にインクリボン（図示せず）が介在されているため、ワイヤ１０の圧力がインクリボンを介して用紙に伝達されてインクリボンのインクが用紙に転写されることにより印字が行われる。
【００４８】
コイル２９への通電が遮断されると、発生していた磁束が消滅するため、磁気回路も消滅する。これにより、磁気回路形成部材１１をコア２７の磁極面２８へ引き寄せる吸引力がなくなるため、アーマチュア４は、付勢部材１５による付勢力によってヨーク６から離反する方向に付勢され、待機位置へ向けて支点軸１２を中心として揺動する。アーマチュア４は待機位置へ向けて揺動し、そのアーム９がアーマチュアストッパ１９に当接することによって待機位置で停止する。このような印字動作が高速に行われる。
【００４９】
このとき、アーマチュア４は、例えば２５００回／秒で印字位置と待機位置との間を揺動することになるが、アーマチュア４の支点軸１２は磨耗防止部材３６によってヨーク６に直接接触しないため、ヨーク６の表面の磨耗を抑えることができる。その結果として、ワイヤドットプリンタヘッド１の高寿命化を実現することができ、印字品質の低下を防止することができる。
【００５０】
また、本実施の形態では、磨耗防止部材３６は、ヨーク６と複数のアーマチュア４の支点軸１２との間にそれぞれ設けられた複数の接触防止部３８を有していることから、簡単な構成でヨーク６の表面の磨耗を抑えることができる。
【００５１】
また、本実施の形態では、磨耗防止部材３６は環状に形成されていることから、簡単な構成でアーマチュア４の揺動を妨げることがなく、さらに、磨耗防止部材３６の着脱も容易になる。
【００５２】
また、本実施の形態では、磨耗防止部材３６は、透磁率が良好な材料で形成されていることから、良好な磁気回路が形成され、安定したアーマチュア４の揺動動作を実現することができる。また、ヨーク６の上面に磨耗防止部材３６を設置することによって、極めて短い磁気回路を構成することができる。
【００５３】
なお、本実施の形態では、印字媒体として用紙を用いたが、これに限るものではなく、例えば、加圧されることにより加圧部分が発色する感圧発色紙を用いることも可能である。印字媒体として感圧発色紙を用いる場合には、ワイヤドットプリンタヘッド１が備えるワイヤ１０の圧力により加圧された部分が発色することによって、印字が行われる。
【図面の簡単な説明】
【００５４】
【図１】本発明の実施の一形態のワイヤドットプリンタヘッドを概略的に示す中央縦断正面図である。
【図２】本発明の実施の一形態のワイヤドットプリンタヘッドの一部を概略的に示す分解斜視図である。
【図３】本発明の実施の一形態のワイヤドットプリンタヘッドの一部を概略的に示す分解斜視図である。
【図４】本発明の実施の一形態のワイヤドットプリンタヘッドの一部を概略的に示す縦断側面図である。
【図５】本発明の実施の一形態のワイヤドットプリンタを概略的に示す縦断側面図である。
【図６】従来のワイヤドットプリンタヘッドの一部を概略的に示す分解斜視図である。
【図７】従来のワイヤドットプリンタヘッドの一部を概略的に示す縦断側面図である。
【符号の説明】
【００５５】
１        ワイヤドットプリンタヘッド
４        アーマチュア
６        ヨーク
７        アーマチュアスペーサ
１０      印字用ワイヤ
１２      支点軸
２７      コア
２９      コイル
３５      切欠部（軸受部）
３６      磨耗防止部材
３７      押さえ部材
３８      接触防止部
５０      ワイヤドットプリンタ
６４      印字媒体搬送部（搬送ローラ）
６５      印字媒体搬送部（押さえローラ）
６９      プラテン
７０      キャリッジ
７２      駆動制御部
【図１】
2005075000.tif 000003
【図２】
2005075000.tif 000004
【図３】
2005075000.tif 000005
【図４】
2005075000.tif 000006
【図５】
2005075000.tif 000007
【図６】
2005075000.tif 000008
【図７】
2005075000.tif 000009